(57)【特許請求の範囲】
【請求項１】
対象区画を利用するユーザごとに、空調設定温度に関する当該ユーザの好み設定温度をユーザ別好み設定温度として記憶する設定温度ＤＢと、
前記対象区画の入退室を管理する入退室管理システムから取得した在室状況に基づいて、当該対象区画に在室しているユーザを在室者として特定する在室者特定部と、
前記在室者として特定されたユーザに関するユーザ別好み設定温度を前記設定温度ＤＢから取得して、これらユーザ別好み設定温度を統計処理することにより前記対象区画に関する新たな設定温度を算出し、当該対象区画の空調環境を制御する空調システムへ通知する設定温度算出部とを備え、
前記設定温度算出部は、前記在室者の在室人数が予め設定されている最低在室人数に満たない場合、前記空調システムに対する前記新たな設定温度の通知、または前記新たな設定温度の算出を中止する
ことを特徴とする空調設定温度算出装置。
【請求項２】
請求項１に記載の空調設定温度算出装置において、
前記設定温度算出部は、前記新たな設定温度が予め設定されている設定温度範囲内に含まれない場合、前記空調システムに対する前記新たな設定温度の通知を中止することを特徴とする空調設定温度算出装置。
【請求項３】
対象区画を利用するユーザごとに、空調設定温度に関する当該ユーザの好み設定温度をユーザ別好み設定温度として設定温度ＤＢで記憶する設定温度記憶ステップと、
前記対象区画の入退室を管理する入退室管理システムから取得した在室状況に基づいて、当該対象区画に在室しているユーザを在室者として特定する在室者特定ステップと、
前記在室者として特定されたユーザに関するユーザ別好み設定温度を前記設定温度ＤＢから取得して、これらユーザ別好み設定温度を統計処理することにより前記対象区画に関する新たな設定温度を算出し、当該対象区画の空調環境を制御する空調システムへ通知する設定温度算出ステップとを備え、
前記設定温度算出ステップは、前記在室者の在室人数が予め設定されている最低在室人数に満たない場合、前記空調システムに対する前記新たな設定温度の通知、または前記新たな設定温度の算出を中止する
ことを特徴とする空調設定温度算出方法。
【請求項４】
コンピュータが、請求項１または請求項２に記載の空調設定温度算出装置を構成する各部として機能させるためのプログラム。
【発明の詳細な説明】
【技術分野】
【０００１】
本発明は、空調制御技術に関し、特に在室者の好みに応じた空調設定温度を自動算出するための空調設定温度算出技術に関する。
【背景技術】
【０００２】
従来、在室者の好みに応じた空調制御技術として、在室者の個人識別を行い、在室者個人の好みにあった最適な環境条件となるよう空調を行う場合、室内に設けたカメラによる在室者の情報と室外に設けられカメラにより入室者を検知した入室者の情報のうち少なくとも１つを有し、在室者または入室者の情報に基づいて個別に識別し、識別した在室者または入室者に関する情報に基づいて空気調和装置の連転を制御する技術が提案されている（例えば、特許文献１など参照）。
【０００３】
この他、入退管理システムから取得したユーザの性別および年齢を含む個人情報を取得し、部屋ごとに性別毎年代別毎にユーザを分類、集計し、集計結果および性別毎年代別毎の代謝量を考慮して予め設定されている基準計数に基づいて、空調機からの出力量を補正して空調機の動作を制御する技術も提案されている（例えば、特許文献２など参照）。
【先行技術文献】
【特許文献】
【０００４】
【特許文献１】特開２００５−１７２２８８号公報
【特許文献２】特開２０１３−０８８１０５号公報
【発明の概要】
【発明が解決しようとする課題】
【０００５】
しかしながら、このような従来技術では、性別・年代別ごとに空調制御に関する一般的な傾向を推定して、これら傾向に応じた補正計数を性別・年代別に予め設定しておき、各在室者の個人情報に基づき特定したそれぞれの在室者の補正計数に基づいて、部屋の設定温度を補正するものとなっているため、在室者の個人的な好みを設定温度に直接反映させることができないという問題点があった。
【０００６】
例えば、在室者が２０代であるからといって、すべての在室者が強めの空調を好むわけではなく、在室者が女性であるからといって、すべての在室者が弱めの空調を好むわけでもない。それぞれの在室者が空調制御に対して個人的な好みを持っているのである。
本発明はこのような課題を解決するためのものであり、それぞれの在室者が持つ、空調制御に対する個人的な好みを十分反映させた空調設定温度を算出するための空調設定温度算出技術を提供することを目的としている。
【課題を解決するための手段】
【０００７】
このような目的を達成するために、本発明にかかる空調設定温度算出装置は、対象区画を利用するユーザごとに、空調設定温度に関する当該ユーザの好み設定温度をユーザ別好み設定温度として記憶する設定温度ＤＢと、前記対象区画の入退室を管理する入退室管理システムから取得した在室状況に基づいて、当該対象区画に在室しているユーザを在室者として特定する在室者特定部と、前記在室者として特定されたユーザに関するユーザ別好み設定温度を前記設定温度ＤＢから取得して、これらユーザ別好み設定温度を統計処理することにより前記対象区画に関する新たな設定温度を算出し、当該対象区画の空調環境を制御する空調システムへ通知する設定温度算出部とを備え、前記設定温度算出部は、前記在室者の在室人数が予め設定されている最低在室人数に満たない場合、前記空調システムに対する前記新たな設定温度の通知、または前記新たな設定温度の算出を中止するようにしたものである。
【０００９】
また、本発明にかかる上記空調設定温度算出装置の一構成例は、前記設定温度算出部が、前記新たな設定温度が予め設定されている設定温度範囲内に含まれない場合、前記空調システムに対する前記新たな設定温度の通知を中止するようにしたものである。
【００１０】
また、本発明にかかる空調設定温度算出方法は、対象区画を利用するユーザごとに、空調設定温度に関する当該ユーザの好み設定温度をユーザ別好み設定温度として設定温度ＤＢで記憶する設定温度記憶ステップと、前記対象区画の入退室を管理する入退室管理システムから取得した在室状況に基づいて、当該対象区画に在室しているユーザを在室者として特定する在室者特定ステップと、前記在室者として特定されたユーザに関するユーザ別好み設定温度を前記設定温度ＤＢから取得して、これらユーザ別好み設定温度を統計処理することにより前記対象区画に関する新たな設定温度を算出し、当該対象区画の空調環境を制御する空調システムへ通知する設定温度算出ステップとを備え、前記設定温度算出ステップは、前記在室者の在室人数が予め設定されている最低在室人数に満たない場合、前記空調システムに対する前記新たな設定温度の通知、または前記新たな設定温度の算出を中止するようにしたものである。
【００１１】
また、本発明にかかるプログラムは、コンピュータが、前述したいずれかの空調設定温度算出装置を構成する各部として機能させるためのプログラムである。
【発明の効果】
【００１２】
本発明によれば、対象区画に在室している各ユーザが、前もって登録しておいた好み設定温度に基づいて、対象区画に関する新たな設定温度が算出される。したがって、在室者の性別・年代別に応じた補正計数で部屋の設定温度を補正する場合と比較して、空調設定温度を算出する際、それぞれの在室者が持つ、空調制御に対する個人的な好みを十分反映させた空調設定温度を算出することができる。このため、在室者の好みに応じた、より快適な空調環境を提供することが可能となる。
【００１３】
また、新たな設定温度の算出にあたり、各ユーザが申告した好み設定温度を設定温度ＤＢに登録しておくだけでよく、他のユーザとの関係を踏まえてユーザの特徴ごとに補正計数や重みを予め設定しておく必要がないため、設定温度算出に要する準備作業負担を大幅に削減することができる。
【図面の簡単な説明】
【００１４】
【図１】空調設定温度算出装置の構成を示すブロック図である。
【図２】ユーザ別好み設定温度の構成例である。
【図３】区画別判定基準の構成例である。
【図４】在室状況の構成例である。
【図５】空調設定温度算出処理を示すフローチャートである。
【図６】空調設定温度の算出例である。
【発明を実施するための形態】
【００１５】
次に、本発明の一実施の形態について図面を参照して説明する。
［空調設定温度算出装置］
まず、図１を参照して、本発明の一実施の形態にかかる空調設定温度算出装置１０について説明する。図１は、空調設定温度算出装置の構成を示すブロック図である。
【００１６】
この空調設定温度算出装置１０は、全体としてサーバ装置やパーソナルコンピュータなどの情報処理装置からなり、空調設定温度の算出対象となる対象区画４０に関する入退室を管理する入退室管理システム２０から取得した在室状況と、予め設定されている各ユーザの好み設定温度とに基づいて、対象区画４０に関する新たな設定温度を算出し、対象区画４０を空調制御する空調システム３０に設定温度を通知する機能を有している。
【００１７】
入退室管理システム２０は、対象区画４０の出入口に設置されたカードリーダにおけるユーザのカード操作に基づき、対象区画４０に関するユーザの入退室可否を判定する、一般的な入退室管理システムである。この入退室管理システム２０は、入退室可否の判定結果に基づき、対象区画４０内に在室しているユーザを示す在室状況を管理する機能と、空調設定温度算出装置１０からの取得要求に応じて在室状況を通信回線Ｌを介して空調設定温度算出装置１０へ通知する機能とを有している。
【００１８】
空調システム３０は、対象区画４０に対して供給する空気の温度や湿度を制御することにより、対象区画４０の空調環境を制御する一般的な空調システムである。この、空調システム３０は通信回線Ｌを介して空調設定温度算出装置１０から通知された設定温度に基づいて、対象区画４０の空調環境を制御する機能を有している。
【００１９】
次に、図１を参照して、本実施の形態にかかる空調設定温度算出装置１０の構成について詳細に説明する。
この空調設定温度算出装置１０には、主な機能部として、通信Ｉ／Ｆ部１１、操作入力部１２、画面表示部１３、設定温度ＤＢ１4、在室者特定部１５、設定温度算出部１６、および設定温度通知部１７が設けられている。
【００２０】
通信Ｉ／Ｆ部１１は、通信回線Ｌを介して入退室管理システム２０や空調システム３０とデータ通信を行う機能を有している。
操作入力部１２は、キーボード、マウス、タッチパネルなどの操作入力装置からなり、オペレータ操作を検出して各機能部へ出力する機能を有している。
画面表示部１３は、ＬＣＤなどの画面表示装置からなり、操作メニュー、在室状況、設定温度算出結果などの各種情報を画面表示する機能を有している。
【００２１】
設定温度ＤＢ１４は、ハードディスクや半導体メモリなどの記憶装置からなり、空調設定温度算出に用いる各種処理情報をデータベースとして記憶する機能を有している。
この設定温度ＤＢ１４で記憶する主な処理情報として、ユーザ別好み設定温度と区画別判定基準がある。
【００２２】
図２は、ユーザ別好み設定温度の構成例である。ユーザ別好み設定温度は、各ユーザが予め設定した、自己が好む空調の設定温度である。ここでは、ユーザを識別するユーザＩＤごとに、ユーザ名、および好み設定温度が組として登録されている。好み設定温度については、冷房時と暖房時がそれぞれ個別に登録されている。
【００２３】
図３は、区画別判定基準の構成例である。区画別判定基準は、区画ごとに、当該区画について算出した新たな設定温度の信頼性を判定するための基準である。ここでは、区画を識別する区画ＩＤごとに、最低在室人数、上下限温、および下限温度が組として登録されている。上下限温および下限温度については、冷房時と暖房時がそれぞれ個別に登録されている。
【００２４】
最低在室人数は、対象区画４０に在室しているべきユーザの人数であり、ユーザの在室人数が最低在室人数に満たない場合、これらユーザの好み設定温度から算出した新たな設定温度は信頼性に乏しく通知不可と判定される。上下限温および下限温度は新たな設定温度の有効範囲を示すもので、この上下限温および下限温度の範囲外である場合、新たな設定温度は信頼性に乏しく通知不可と判定される。
【００２５】
これらユーザ別好み設定温度や区画別判定基準については、操作入力部１２からオペレータが操作入力したものを設定温度ＤＢ１４に登録してもよく、外部装置で作成したものを通信Ｉ／Ｆ部１１から取り込んで設定温度ＤＢ１４に登録してもよい。また、ユーザ別好み設定温度については、ユーザから電子メールで申告されたものを自動的に設定温度ＤＢ１４に登録するようにしてもよい。
【００２６】
在室者特定部１５は、通信Ｉ／Ｆ部１１および通信回線Ｌを介して入退室管理システム２０から在室状況を取得する機能と、この在室状況に基づき対象区画４０に在室しているユーザを在室者として特定する機能とを有している。
図４は、在室状況の構成例である。ここでは、ユーザＩＤごとに、当該ユーザが在室している区画の区画ＩＤが関連付けられている。
【００２７】
在室状況は、対象区画４０におけるユーザの出入りが発生した時点で、入退室管理システム２０により更新される。このため、在室者特定部１５から定期的に在室状況を入退室管理システム２０から取得してもよいが、更新に応じて入退室管理システム２０から空調設定温度算出装置１０へ通知し、これを在室者特定部１５が取得するようにしてもよい。
【００２８】
設定温度算出部１６は、在室者特定部１５で在室者として特定されたユーザに関するユーザ別好み設定温度を設定温度ＤＢ１４から取得する機能と、取得したこれらユーザのユーザ別好み設定温度を統計処理することにより対象区画４０に関する新たな設定温度を算出する機能と、対象区画４０に関する区画別判定基準を設定温度ＤＢ１４から取得する機能と、この区画別判定基準に基づき算出した新たな設定温度に関する、空調システム３０への通知可否を判定する機能とを有している。
【００２９】
設定温度通知部１７は、設定温度算出部１６により通知可と判定された新たな設定温度を、通信Ｉ／Ｆ部１１および通信回線Ｌを介して空調システム３０へ通知する機能とを有している。
【００３０】
［本実施の形態の動作］
次に、図５を参照して、本実施の形態にかかる空調設定温度算出装置１０の動作について説明する。図５は、空調設定温度算出処理を示すフローチャートである。
空調設定温度算出装置１０は、予め設定されている対象区画４０ごとに、定期的あるいは在室状況の変化に応じて、図５の空調設定温度算出処理を実行する。なお、空調設定温度算出処理の実行にあたり、設定温度ＤＢ１４には、ユーザ別好み設定温度と区画別判定基準が予め登録されているものとする。
【００３１】
まず、在室者特定部１５は、通信Ｉ／Ｆ部１１および通信回線Ｌを介して入退室管理システム２０から在室状況を取得し（ステップ１００）、この在室状況に基づき対象区画４０に在室するユーザを在室者として特定する（ステップ１０１）。
【００３２】
次に、設定温度算出部１６は、在室者特定部１５で在室者として特定されたユーザに関するユーザ別好み設定温度を設定温度ＤＢ１４から取得し（ステップ１０２）、取得したこれらユーザのユーザ別好み設定温度を統計処理することにより対象区画４０に関する新たな設定温度を算出する（ステップ１０３）。この際、ユーザ別好み設定温度に対する統計処理については、平均値や最頻値など、これらユーザ別好み設定温度を代表する代表値を算出する処理を用いればよい。
【００３３】
続いて、設定温度算出部１６は、対象区画４０に関する区画別判定基準を設定温度ＤＢ１４から取得し（ステップ１０４）、この区画別判定基準に基づいて、算出した新たな設定温度の空調システム３０への通知可否を判定する。
【００３４】
まず、区画別判定基準に含まれる最低在室人数と在室者特定部１５で在室者として特定されたユーザによる在室人数とを比較する（ステップ１０５）。
ここで、在室人数が最低在室人数を下回る場合（ステップ１０５：ＮＯ）、通知不可と判定し、一連の空調設定温度算出処理を終了する。これにより、空調システム３０に対する新たな設定温度の通知を自動的に中止することができ、対象区画４０で発生しうる空調環境の乱れを前もって回避することができる。
【００３５】
一方、在室人数が最低在室人数以上である場合（ステップ１０５：ＹＥＳ）、設定温度算出部１６は、区画別判定基準に含まれる上下限温および下限温度と算出した新たな設定温度とを比較する（ステップ１０６）。この際、ステップ１０６では、冷房時と暖房時とがそれぞれ個別に比較される。
ここで、新たな設定温度が上下限温および下限温度の範囲外である場合（ステップ１０６：ＮＯ）、通知不可と判定し、一連の空調設定温度算出処理を終了する。これにより、空調システム３０に対する新たな設定温度の通知を自動的に中止することができ、対象区画４０で発生しうる空調環境の乱れを前もって回避することができる。
【００３６】
一方、新たな設定温度が上下限温および下限温度の範囲内である場合（ステップ１０６：ＹＥＳ）、設定温度算出部１６は、新たな設定温度を設定温度通知部１７に出力することにより、通信Ｉ／Ｆ部１１および通信回線Ｌを介して空調システム３０へ通知し（ステップ１０７）、一連の空調設定温度算出処理を終了する。
【００３７】
図６は、空調設定温度の算出例である。ここでは、区画ＩＤ「０００１」の対象区画４０における在室人数が１２人であり、冷房時設定温度が２２℃、暖房時設定温度が２５℃と算出されている。ここで、図３の区画ＩＤ「０００１」に関する区画別判定基準において、最低在室人数が５人であり、冷房時の上下限温および下限温度がそれぞれ２９℃と２３℃であり、暖房時の上下限温および下限温度がそれぞれ２５℃と２０℃である。
【００３８】
したがって、この例では、在室人数および暖房時設定温度は基準を満たしているものの、冷房時設定温度は基準を満たしていないと判定される。このため、空調システム３０で暖房運転している場合、暖房時設定温度は空調システム３０に通知され、冷房時運転している場合、冷房時設定温度は空調システム３０に通知されないことになる。
【００３９】
なお、図５の空調設定温度算出処理では、必要に応じて処理手順を入れ替えてもよい。例えば、図５の例では、ステップ１０３で新たな設定温度を算出した後、在室人数と最低在室人数とを比較しているが、この比較には新たな設定温度を用いないため、ステップ１０１以降でステップ１０３よりも前に、ステップ１０４の判定基準の取得を行った後、上記比較を行うようにしもよい。これにより、在室人数が最低在室人数に満たない場合には、ステップ１０２の好み設定温度の取得処理やステップ１０３における新たな設定温度の算出処理を省くことができる。
【００４０】
［本実施の形態の効果］
このように、本実施の形態は、設定温度ＤＢ１４が、対象区画４０を利用するユーザごとに、空調設定温度に関する当該ユーザの好み設定温度をユーザ別好み設定温度として記憶し、在室者特定部１５が、入退室管理システム２０から取得した在室状況に基づいて、対象区画４０に在室しているユーザを在室者として特定し、設定温度算出部１６が、在室者として特定されたユーザに関するユーザ別好み設定温度を設定温度ＤＢ１４から取得して、これらユーザ別好み設定温度を統計処理することにより対象区画４０に関する新たな設定温度を算出し、空調システム３０へ通知するようにしたものである。
【００４１】
これにより、対象区画４０に在室している各ユーザが、前もって登録しておいた好み設定温度に基づいて、対象区画４０に関する新たな設定温度が算出される。したがって、在室者の性別・年代別に応じた補正計数で部屋の設定温度を補正する場合と比較して、空調設定温度を算出する際、それぞれの在室者が持つ、空調制御に対する個人的な好みを十分反映させた空調設定温度を算出することができる。このため、在室者の好みに応じた、より快適な空調環境を提供することが可能となる。
【００４２】
また、新たな設定温度の算出にあたり、各ユーザが申告した好み設定温度を設定温度ＤＢ１４に登録しておくだけでよく、他のユーザとの関係を踏まえてユーザの特徴ごとに補正計数や重みを予め設定しておく必要がないため、設定温度算出に要する準備作業負担を大幅に削減することができる。
【００４３】
また、本実施の形態において、設定温度算出部１６が、在室者の在室人数が予め設定されている最低在室人数に満たない場合、空調システム３０に対する新たな設定温度の通知、または新たな設定温度の算出を中止するようにしてもよい。これにより、在室人数が少なくて算出される新たな設定温度に関する信頼性が低い場合には、空調システム３０に対する新たな設定温度の通知を自動的に中止することができ、対象区画４０で発生しうる空調環境の乱れを前もって回避することができる。
【００４４】
また、本実施の形態において、設定温度算出部１６が、算出した新たな設定温度が予め設定されている設定温度範囲内に含まれない場合、空調システム３０に対する新たな設定温度の通知を中止するようにしてもよい。これにより、算出した新たな設定温度が設定温度範囲外となり新たな設定温度に関する信頼性が低い場合には、空調システム３０に対する新たな設定温度の通知を自動的に中止することができ、対象区画４０で発生しうる空調環境の乱れを前もって回避することができる。
【００４５】
［実施の形態の拡張］
以上、実施形態を参照して本発明を説明したが、本発明は上記実施形態に限定されるものではない。本発明の構成や詳細には、本発明のスコープ内で当業者が理解しうる様々な変更をすることができる。また、各実施形態については、矛盾しない範囲で任意に組み合わせて実施することができる。
【００４６】
例えば、在室者の在室人数が予め設定されている最低在室人数に満たない場合や、算出した新たな設定温度が予め設定されている設定温度範囲内に含まれない場合、空調システム３０に対する新たな設定温度の通知を中止するのではなく、予め設定温度ＤＢ１４に設定しておいた、対象区画４０の基準設定温度を空調システム３０に通知するようにしてもよい。
【００４７】
また、以上では、対象区画４０が全域にわたり共通して空調制御させる場合を例として説明したが、対象区画４０内の個別の領域を、別個の空調機により空調制御可能な場合には、ユーザごとに対象区画４０内で通常在席している領域、例えばユーザのデスクが存在する領域を、ホームポジションとして設定温度ＤＢ１４に予め登録しておき、設定温度算出部１６が、これら領域ごとに、当該領域をホームポジションとする各ユーザのユーザ別好み設定温度に基づき、当該領域に関する新たな設定温度をそれぞれ算出して、空調システム３０に通知するようにしてもよい。
【００４８】
また、以上では、対象区画４０の設定温度を算出する場合を例として説明したが、これに限定されるものではなく、ユーザの好みの設定風量や好みの設定換気量についても、前述した好みの設定温度と同様にして、新たな設定風量や新たな設定換気量を算出することもできる。
【００４９】
なお、以上では、空調設定温度算出装置１０が、入退室管理システム２０や空調システム３０から独立した装置により実現される場合を例として説明したが、これに限定されるものではない。例えば、入退室管理システム２０や空調システム３０に、空調設定温度算出装置１０の各機能部を実装してもよい。
【符号の説明】
【００５０】
１０…空調設定温度算出装置、１１…通信Ｉ／Ｆ部、１２…操作入力部、１３…画面表示部、１４…設定温度ＤＢ、１５…在室者特定部、１６…設定温度算出部、１７…設定温度通知部、２０…入退室管理システム、３０…空調システム、４０…対象区画、Ｌ…通信回線。
【図１】
0006374796.tif 000002
【図２】
0006374796.tif 000003
【図３】
0006374796.tif 000004
【図４】
0006374796.tif 000005
【図５】
0006374796.tif 000006
【図６】
0006374796.tif 000007